(57)【特許請求の範囲】
【請求項１】
固体高分子膜の一方の面にカソード、他方の面にアノードが配され、カソードとアノードの各外側にガス拡散層が配されてなるセル構成を有し、カソード側のガス拡散層表面に沿って酸化剤ガス、アノード側のガス拡散層表面に沿って燃料ガスがそれぞれ流通されることにより発電する燃料電池であって、
前記アノードガス拡散層は、カソード側のガス拡散層の酸化剤ガス導入口付近に対向するアノード側のガス拡散層の領域を第一領域、カソード側のガス拡散層の酸化剤ガス排出口付近に対向するアノード側のガス拡散層の領域を第二領域とするとき、第一領域の水分透過性が第二領域の水分透過性よりも高い構成であることを特徴とする燃料電池。
【請求項２】
前記アノードガス拡散層は、前記第二領域の撥水性よりも低いことにより、第一領域の水分透過性が第二領域の水分透過性よりも高い構成であることを特徴とする請求項1に記載の燃料電池。
【請求項３】
前記アノード側のガス拡散層には撥水材が含まれ、前記第一領域の撥水材含有量が、前記第二領域の撥水材含有量よりも少ないことを特徴とする請求項2に記載の燃料電池。
【請求項４】
前記第一領域の撥水材含有量が、前記第二領域の撥水材含有量の0.3〜0.93倍であることを特徴とする請求項3に記載の燃料電池。
【請求項５】
前記第一領域の撥水材含有量が、アノード側のガス拡散層の10〜90ｗｔ％であることを特徴とする請求項3に記載の燃料電池。
【請求項６】
前記撥水材はフッ素樹脂であることを特徴とする請求項3〜5のいずれかに記載の型燃料電池。
【請求項７】
前記第一領域に親水材が含まれることにより、第一領域の水分透過性が第二領域の水分透過性よりも高い構成であることを特徴とする請求項2に記載の燃料電池。
【請求項８】
前記アノード側のガス拡散層は、多孔性カーボンペーパーを芯体とし、前記第一領域に合わせて親水性カーボンブラックが充填され、前記第二領域に合わせて前記カーボンブラックよりも親水性の低い撥水性カーボンブラックが充填されてなることを特徴とする請求項7に記載の燃料電池。
【請求項９】
前記親水性カーボンブラックは比表面積が130m2/g以上であることを特徴とする請求項8に記載の燃料電池。
【請求項１０】
前記撥水性カーボンブラックは比表面積が100m2/g以下であることを特徴とする請求項8または9に記載の燃料電池。
【発明の詳細な説明】
【０００１】
【発明の属する技術分野】
本発明は固体高分子型燃料電池などの燃料電池において、セル内における固体高分子膜の湿潤性を維持するための改良技術に関する。
【０００２】
【従来の技術】
燃料電池は通常、アノード側に水素を含むアノードガス、カソード側に酸素を含むカソードガス（酸化剤ガス）をそれぞれ供給し、水素と酸素を反応させて発電を行う。カソードガスには一般的に空気が用いられる。アノードガスには純水素ガスのほか、天然ガスやナフサ等の軽質炭化水素などの燃料ガスを改質して水素リッチな改質ガスとしたものが用いられる。
【０００３】
燃料電池には様々な種類があるが、近年では固体高分子膜を電解質とする固体高分子型燃料電池（PEFC；Polymer Electrolyte Fuel Cell）の研究が積極的になされている。固体高分子型燃料電池は、例えば図6に示す従来のセル周辺構成の厚み方向断面図のように、フッ素系陽イオン交換樹脂等からなる電解質の固体高分子膜201の一方の面にカソード202と他方の面にアノード203とを配し、これを2枚のガス拡散層間204、205の間に配したセル200の構成を持つ。実用的な固体高分子型燃料電池は、このような基本構造を単位セルとして多数積層し、高出力を得ている。
【０００４】
固体高分子型燃料電池は運転時において、固体高分子膜201のイオン導電性を高めて内部抵抗を下げるためにこれを湿潤させなければならない。セル200のカソード202側では発電反応によって生成水が生じるが、アノードガスやカソードガスをそのままで用いると、これらの周囲雰囲気中に水分が蒸発するので、固体高分子膜201を湿潤させるために例えば燃料電池に供給するアノードガスを予め加湿し、これによって固体高分子膜201を加湿する外部加湿方式が一般的に採られている。
【０００５】
【発明が解決しようとする課題】
しかしながら上記セル200の構成では、カソードガスがカソードガス拡散層204に対して最初に接触するカソードガス導入口付近（図中左上方付近）において、比較的大量の水分がカソードガス拡散層204側からカソードガス中に蒸発してしまい、セル200のカソードガス導入口付近における固体高分子膜201の湿潤性が、カソードガス排出口付近の固体高分子膜201の湿潤性よりも低くなる傾向がある。このように固体高分子膜201における湿潤性に勾配があるが、これに対してカソードガス排出口付近の固体高分子膜201を過度に湿潤させるように調整すると、セル200のカソードガス導入口付近における燃料電池の発電効率を低下させてしまうおそれがある。特に、電極面積の小さなセルや、固体高分子膜201が薄い（特に50μｍ程度に至る）場合には当該膜中の水分量が限られるので、この問題の影響が拡大することが予想され、その対策を早急に講じる必要がある。
【０００６】
このように、燃料電池の小型化と、その発電効率の維持を両立させるためには、いまだ技術改良の余地があると考えられる。
本発明は、上記課題に鑑みてなされたものであって、その目的は固体高分子型などの燃料電池において、運転時に固体高分子膜を全体にわたって均一的に湿潤状態に保つことにより、安定した発電が可能な燃料電池を提供することにある。
【０００７】
【課題を解決する手段】
上記課題を解決するため、本発明は固体高分子膜の一方の面にカソード、他方の面にアノードが配され、カソードとアノードの各外側にガス拡散層が配されてなるセル構成を有し、カソード側のガス拡散層表面に沿って酸化剤ガス、アノード側のガス拡散層表面に沿って燃料ガスがそれぞれ流通されることにより発電する燃料電池において、前記アノードガス拡散層は、カソード側のガス拡散層の酸化剤ガス導入口付近に対向するアノード側のガス拡散層の領域を第一領域、カソード側のガス拡散層の酸化剤ガス排出口付近に対向するアノード側のガス拡散層の領域を第二領域とするとき、第一領域の水分透過性が第二領域の水分透過性よりも高い構成とした。
【０００８】
これによって、カソード側の酸化剤ガス導入口付近から固体高分子膜の水分が蒸発しても、アノード側から十分な量の水分が良好に透過して固体高分子膜に供給されるので、固体高分子膜の乾燥が抑制され、その湿潤性を均一的に保つことができる。したがって固体高分子膜の導電性が保持され、安定した発電が行われることとなる。
【０００９】
このような水分透過性の調整は、アノード側のガス拡散層の撥水性を第一領域と第二領域とで異なるように調節することによって実現できる。これは具体的には、前記アノード側のガス拡散層に撥水材を含ませ、前記第一領域の撥水材含有量が、前記第二領域の撥水材含有量よりも少なくなるように設定することによって実現できる。
【００１０】
なお、ここでいう水分透過性は、具体的にはガス拡散層の片面側に水を接触させ、反対側に透過した水の量をガス中に蒸発させて、その水蒸気量から算出測定することができる。
この場合、撥水材の一例としてはフッ素樹脂を用いることができる。
また、アノード側のガス拡散層の水分透過性の調整は、前記第一領域に親水材を含ませ、第一領域の水分透過性が第二領域の水分透過性よりも高くなるように構成しても実現することができる。これは具体的にはアノード側のガス拡散層を多孔性カーボンペーパーの芯体を用いて作製し、前記第一領域に親水性カーボンブラックを充填し、前記第二領域に前記親水性カーボンブラックより親水性の低い撥水性カーボンブラックを充填することによって実現できる。
【００１１】
【発明の実施の形態】
1.実施の形態1
以下、本発明の燃料電池の一適用例（固体高分子型燃料電池）について説明する。
1-1.セルユニットの構成
図1は、かかる本実施の形態1の固体高分子型燃料電池を構成するセルユニット10の組立図である。本図に示すように、セルユニット10は全体として、カソード側チャネルプレート60とアノード側チャネルプレート50との間にセル20を配した構成を持つ。
【００１２】
セル20は固体高分子膜21、電極22、23（カソード22、アノード23）、カソードガス拡散層24、アノードガス拡散層25等で構成される。なお図1において、アノード23は固体高分子膜21の下面側にあるので破線で表示している。
このセル20のカソード22側が、ガスケット40を介してカソード側チャネルプレート60に重ねられている。また、アノード23側はガスケット30を介してアノード側チャネルプレート50に重ねられている。これらカソード22とアノード23は各電極触媒が担持されたシート状成型体であって、触媒層とも呼ばれる。
【００１３】
カソード22とカソード側チャネルプレート60の間、並びにアノード23とアノード側チャネルプレート50との間には、前記各ガス拡散層24、25がそれぞれ介挿されている。これら各ガス拡散層24、25は、電極22、23とチャネルプレート50、60との電流の流れを確保するものであって集電体層とも称される。
アノード側チャネルプレート50はフェノール樹脂などの樹脂材料にカーボン粉末を混合したものを射出成形してなる部材であって、アノードガス拡散層25と対向する面（図1では下面）において、ｘ方向を長手方向としてｙ方向に一定間隔毎にリブ56が並設され、これにより同方向にアノードガス（純水素または水素リッチな改質ガス）を流通させるチャネル55が形成されている。
【００１４】
なお、本実施の形態1およびこれ以降の実施の形態において、アノードガスは加湿されてセルユニット10に供給されるものとする。
カソード側チャネルプレート60はアノード側チャネルプレート50とほぼ同様の部材であり、当図からは見えないが、カソードガス拡散層24と対向する面において、ｙ方向を長手方向としてｘ方向に一定間隔毎にリブが並設され、これにより同方向にカソードガス（空気などの酸化剤ガス）を流通させるチャネルが形成されている。
【００１５】
さらに、固体高分子膜21、ガスケット30、40、アノード側チャネルプレート50、カソード側チャネルプレート60には内部マニホールドを形成するために、各主面の四隅に開孔部61〜64、41〜44、211〜214、31〜34、51〜54（44、214、34、54は不図示）が設けてあり、このうち開孔部53、33、213、43、63によりアノード側チャネルプレート50のチャネル55にアノードガスが供給され、開孔部51、31、211、41、61から排出される。また、開孔部54、34、214、44、64によりカソード側チャネルプレート60のチャネルにカソードガスが供給され、開孔部52、32、212、42、62から排出される。
【００１６】
このような各開口部31、…のうち、カソードガス拡散層24へのカソードガス導入口としては開口部64が位置する。
なおセルユニット10は、実際には高出力の電力が取り出せるように仕切板を介して複数個積層され、その両端が一対の端板で固定された構成（セルスタック）に組み上げられている。
【００１７】
ここにおいて、本実施の形態1の主な特徴はセル20の構成にある。次に、固体高分子膜21を中心とするセル20の各構成について詳細に説明する。
1-2.セル構成
固体高分子膜21は、パーフルオロカーボンスルホン酸などのフッ素系陽イオン交換樹脂からなる電解質膜であり、ここでは面積144cm2、ｘ方向幅12ｃｍ×ｙ方向長さ12ｃｍ×ｚ方向厚さ約50μｍのサイズに設定されている。
【００１８】
電極22（23）は、固体高分子膜21よりやや小型のカーボンブラックからなる膜状電極（電極面積100cm2、ｘ方向幅10ｃｍ×ｙ方向長さ10ｃｍ×ｚ方向厚さ20μｍ）であって、当該電極22、23とサイズがほぼ同じカソードガス拡散層24（アノードガス拡散層25）の表面に積層してあり、固体高分子膜21の主面の中央部分に合わせて、ホットプレスにより圧着されている。
【００１９】
なお各ガス拡散層24、25は、厚みが約200μｍのカーボンペーパーを芯体とし、これにカーボンブラックが充填されて構成される。当該各ガス拡散層24、25には、このほかに撥水材としてＰＴＦＥ（ポリテトラフルオロエチレン）が塗布されている。
なお撥水材としては、このほかにテトラフルオロエチレン-ペルフルオロアルキルビニルエーテル共重合体、テトラフルオロエチレン-ヘキサフルオロプロピレン共重合体、ポリクロロトリフルオロエチレン、ポリフッ化ビニリデン、ポリフッ化ビニル、テトラフルオロエチレン-エチレン共重合体の中から選択することができる。
【００２０】
ここにおいて本実施の形態1の特徴は、アノードガス拡散層25が、セルユニット10内に導入されるカソードガスの流通方向（ｙ方向）に沿って、撥水性の低い（例えば従来より撥水性の低い）第一領域251と、撥水性の高い第二領域252に分けられている点にある。これにより、撥水性の低い第一領域251が、固体高分子膜21および電極22、23を介し、ｚ方向でカソードガス導入口付近（開口部64付近）のカソードガス拡散層24に対向した構成となっている。
【００２１】
なお第一領域251と第二領域252の各面積は、ここでは一例として互いに等面積（50ｃｍ2）に設定してあるが、本発明はこれに限らず、適宜面積を調節するように（例えば第一領域251をアノードガス拡散層25の1/3の面積に相当するように）してもよい。
1-3.セルの作製方法
ここでは実施の形態1のセル20の作製方法を説明する。
【００２２】
まず固体高分子膜として、フッ素系陽イオン交換樹脂膜（例えば厚み５０μｍのDuPont社製Nafion112膜）を所定の寸法に合わせて用意する。なお固体高分子膜はフッ素系に限らず、これ以外の陽イオン交換樹脂であってもよい。
アノードガス拡散層は、まず厚さ約２００μｍのカーボンペーパーをPTFE分散溶液に浸漬する。この浸漬後、さらにカーボンペーパーの前記第ニ領域252に相当する領域にＰＴＦＥ分散溶液を噴霧し、第一領域251と第二領域252とに対応する領域のＰＴＦＥの含浸量に差をつける。このときのＰＴＦＥの含浸量は、例えば第一領域251が１０ｗｔ％、第二領域252が３０ｗｔ％となるように調整する。その後、カーボンペーパーを約380℃で1時間乾燥させてアノードガス拡散層を完成する。
【００２３】
カソードガス拡散層は、厚さ約200μｍのカーボンペーパーをＰＴＦＥ分散溶液に含浸させる。このときＰＴＦＥの含浸量が全体的に25ｗｔ％になるように調整し、約380℃で1時間焼成して作製する。
このように作製した各ガス拡散層の表面に、白金担持カーボン：Nafion：PTFEの重量比が100：20：10になるように調整したスラリーを塗布し、これを乾燥させてガス拡散層上に厚み約20μｍの触媒層を形成する。
【００２４】
以上で作製した各構成要素を、アノードガス拡散層、アノード、固体高分子膜、カソード、カソードガス拡散層の順になるように積層し、ホットプレス処理（150℃、50kg/ｃｍ2、60sec）によって一体化する。
これによりセル20が完成される。
1-4.燃料電池の動作と本実施の形態1の効果
このような固体高分子型燃料電池の稼働時においては、アノードガスとして加湿した水素ガス、カソードガスとして空気を供給する。これにより、アノード側に供給されるアノードガスの水素はプロトン（Ｈ2→2Ｈ＋＋2ｅ-）となり、固体高分子膜21中のスルホン酸基近くに保持された水などを伝ってカソード22側へ移動する。一方、カソード側に供給されるカソードガスの酸素は固体高分子膜21中を移動してきたプロトンと化合して水を生じる（2Ｈ＋＋1/2Ｏ2→Ｈ2Ｏ）。
この化学反応機構（発電反応）によって生成する水、またはこれに加えてアノードガスとともにセルユニット10に供給される加湿水（外部加湿方式の場合）により、固体高分子膜21は湿潤状態になり、その内部抵抗が低下して導電性を呈する。一方、固体高分子膜21からは電極22、23を介し、主にカソードガス中に水分が蒸発する。固体高分子膜21の湿潤度は、これらの加湿水、生成水、蒸発水のバランスによって定まる。
【００２５】
ところで従来はこのような燃料電池の稼働中、前記図6の従来のセル周辺構造の厚み方向断面図に示すように、カソードガス拡散層204のカソードガス導入口付近（図中左上方付近、なお本実施の形態1では開口部64付近に相当する）において、固体高分子膜201の水分がカソードガス中に過度に蒸発する傾向があった。これは導入直後のカソードガスが比較的乾燥状態にあることが原因と考えられるが、これによってカソードガス導入口付近における固体高分子膜201の湿潤性が失われて導電性が低下し、発電効率に悪影響を生じる傾向があった。
【００２６】
そこで本実施の形態1では、開口部64付近のカソードガス拡散層24に固体高分子膜21を介して対向するアノードガス拡散層25の領域（第一領域251）の撥水性を低減し、この部分の水分透過性を高めた構成とした。これによって、図2の本実施の形態1におけるセル周辺構造の厚み方向断面図に示すように、開口部64付近のカソードガス拡散層24から固体高分子膜21の水分が蒸発しても、アノードガス拡散層25の第一領域251からアノードガス中の水分が固体高分子膜21に十分に供給され、湿潤状態が保たれる。その結果、固体高分子膜21の導電性は均一化が図られ、良好な安定性のもとに優れた発電効率を発揮することが可能となる。
【００２７】
以下、本発明の別の実施の形態について説明する。
2.実施の形態2
本実施の形態2の全体的な構成は図1に示したものとほぼ同様であり、その主たる特徴はアノードガス拡散層25にある。
2-1.セル構成
実施の形態1では、アノードガス拡散層25の第一領域251と第二領域252とで撥水材の含有量を調節する例を示した。本実施の形態2では、アノードガス拡散層25の芯体となる多孔性カーボンペーパーに対し、第一領域251に相当する領域に親水性カーボンブラックを充填し、第二領域252に相当する領域に撥水性カーボンブラックを充填した構成を特徴とする。このような構成により、第1領域の水分透過性が第2領域の水分透過性よりも高いアノードガス拡散層25となっている。
【００２８】
2-2.セルの作製方法
ここでは実施の形態2のアノードガス拡散層の作製方法を説明する。
アノードガス拡散層は、厚さ約200μｍの多孔性カーボンペーパーをＰＴＦＥ分散溶液に浸漬する。この後、カーボンペーパーを380℃で1時間焼成し、ＰＴＦＥ含有量が15ｗｔ％になるように調整する。
【００２９】
次に、互いに比表面積の異なる2種類のカーボンブラックaおよびbを用意する（aとbの一例、a；比表面積56ｍ2/ｇのデンカブラック（電気化学工業製）、b；比表面積254ｍ2/ｇのバルカンＸＣ-72（キャボット製））。これらのカーボンブラックaおよびbの分量をそれぞれ調合し、ＰＴＦＥと混合してスラリーとし、調合の仕方によってカーボンブラックの親水性および撥水性を設定する。カーボンブラックの比表面積が大きいほど親水性が高まり、小さいほど撥水性が高まる。本実施の形態2では、カーボンペーパーの第一領域に比表面積が140ｍ2/ｇになるように調合したカーボンブラック（これを親水性カーボンブラックとする）、第二領域に比表面積が56ｍ2/g（デンカブラック100％）のカーボンブラック（これを撥水性カーボンブラックとする）の各スラリーをそれぞれ塗布し、各カーボンブラックを充填する。そしてこの後、380℃、1時間の焼成を行う。
【００３０】
以上でアノードガス拡散層が作製される。
2-3.本実施の形態2の効果
以上の構成を有する本実施の形態2の燃料電池によれば、稼働時には第一領域251における比表面積の大きい親水性カーボンブラックによってアノードガス中の水分が確保され、固体高分子膜21側への水分透過性が良好になる。したがって実施の形態1と同様に、カソードガス導入口付近において固体高分子膜21が乾燥するのが効果的に抑制される。
【００３１】
また本実施の形態2では、親水性および撥水性カーボンブラックのブレンドの仕方によって、アノードガス拡散層25の水分透過性の微妙な調整が行えるといった利点も有している。
3.性能比較実験
3-1.各セルの作製
本発明の効果を確認するため、実施の形態1および2に基づいて複数のセルを作製し、発電試験を行った。
【００３２】
実施の形態1のセルとしては、第二領域252のＰＴＦＥ含有量を30ｗｔ％に固定しつつ、第一領域251のＰＴＦＥ含有量を5〜28ｗｔ％の間で変化させて5種類作製し、これらをセル1〜5とした。また第一領域251と第二領域252の各ＰＴＦＥ含有量が同一（30ｗｔ％）のものを作製し、これを比較例セル6とした。
これらのセル1〜6の仕様を表1に示す。
【００３３】
【表１】
0003813406.tif 000002
【００３４】
次に実施の形態2のセルとしては、第二領域252のカーボンブラックの比表面積を56ｍ2/ｇに固定しつつ、第一領域251のカーボンブラックの比表面積を85〜254ｍ2/ｇの間で変化させて4種類作製し、これらをセル8〜11とした。またこれとは逆に、第一領域251のカーボンブラックの比表面積を254ｍ2/ｇに固定しつつ、第二領域252のカーボンブラックの比表面積を56〜140ｍ2/ｇの間で変化させて4種類作製し、これらをセル13〜16とした。さらに、第一領域251と第二領域252の各カーボンブラックの比表面積が同一（56ｍ2/ｇおよび254ｍ2/ｇ）のものを2種類作製し、これを比較例セル7および12とした。
【００３５】
これらのセル7〜16の仕様を表2に示す。
【００３６】
【表２】
0003813406.tif 000003
【００３７】
このように作製したセル1〜16を以下の条件で運転し、セル電圧の経時変化を調べた。
（運転条件）
電流密度；0.5Ａ/ｃｍ2、セル内運転温度；80℃
燃料ガス；純水素
酸化剤ガス；空気
燃料ガス利用率；70％
酸化剤ガス利用率；40％
加湿条件；燃料ガス加湿温度  90℃、酸化剤ガスは無加湿
運転時間；起動後安定したとき（数十時間後）のセル電圧の性能で測定比較
以上の運転条件により得られた各セル1〜16の実験データを図3〜図5にまとめた。図3はセル1〜6、図4はセル7〜11、図5はセル12〜16の各実験データをそれぞれ示している。なお各図中において、Ａは第一領域のＰＴＦＥ含有量、Ｂは第二領域のＰＴＦＥ含有量、Ｃは第一領域のカーボンブラック（親水性カーボンブラック）の比表面積、Ｄは第二領域のカーボンブラック（撥水性カーボンブラック）の比表面積をそれぞれ表す。
【００３８】
これらについて順次考察を行う。
3-2.実験結果の考察
まず図3から、セル2〜5は、セル1および比較例セル6に比べて優れたセル電圧を発揮することが窺える。これは、固体高分子膜からカソードガス中へ蒸発した水分が、第一領域251から固体高分子膜中に供給されるアノードガスの水分によって補われ、膜の湿潤性が均一に維持された結果、良好な導電性が保たれたことを裏付けるものとみられる。
【００３９】
ここで、第一領域のＰＴＦＥの含有量を低下させたにもかかわらず性能が比較的優れなかったセル1に関しては、その特性結果を示した理由について次のように推論することができる。
第一領域中の撥水材であるＰＴＦＥは、その量が少なくなるほど固体高分子膜に対して高い水分透過性を示し、当該固体高分子膜の湿潤性を確保できる反面、量が少なすぎるとこの領域のアノードガス拡散層の撥水性が悪化して水が滞留してしまい、アノードガスのガス拡散性能の低下を招いてしまう。
【００４０】
しかしながらセル2〜4のように、ＰＴＦＥの含有量を適切に低減した構成の場合には、ガス拡散層中に酸化剤ガスが程良く供給されながらも、固体高分子膜の湿潤性とガス供給量とのバランスをとることができる。このような実験結果より、第二領域に対する第一領域のＰＴＦＥ含有量の比は、0.3〜0.93の間に収まる程度が特に望ましいと言える。
【００４１】
また、ここでは詳細な説明を省くが、アノードガス拡散層における第一領域中のＰＴＦＥ含有量は、表現を変えれば10ｗｔ％以上90ｗｔ％以下の範囲が適当であることがわかっている。10ｗｔ％未満の場合には、上記セル1の性能と同様になってしまい、90ｗｔ％を超えるとカーボンペーパーが目詰まりを起こすので望ましくない。
【００４２】
続いて図4を見る。ここではセル7〜11の実験データを示している。当図が示すように、第一領域のカーボンブラックの比表面積が増大する（親水性が増大する）に従ってセル電圧が増加する。特に、第一領域のカーボンブラックの比表面積が130ｍ2/ｇ以上になると（セル10および11）、セル電圧の増加が顕著になる。このように第一領域のカーボンブラックの比表面積が増大すると、カーボンブラックの親水性が増大してアノードガス拡散層の水分透過性がよくなり、カソードガス導入口付近の固体高分子膜に水分が良好に補給されるようになる。ここで実際に作製できるセル構成を考慮すると、第一領域のカーボンブラック（親水性カーボンブラック）の比表面積の好ましい範囲は、130ｍ2/ｇ以上ということができる。
【００４３】
また、次の図5に示されるように、第二領域のカーボンブラックの比表面積が約100ｍ2/ｇ以下になり、撥水性が向上すると（セル14〜16）、第二領域に対向するカソードガス拡散層内の水の滞留が改善され、この領域のガス拡散性が向上して、セル電圧の増加が顕著になる。ここで実際に作製できるセル構成を考慮すると、第二領域のカーボンブラック（撥水性カーボンブラック）の比表面積の好ましい範囲は、100ｍ2/ｇ以下ということができる。
【００４４】
なお、ここで図4におけるセル12やセル13のように、第二領域のカーボンブラックの比表面積が高いと、当該カーボンブラックの水分透過量が多くなり、第二領域に対向するカソードガス拡散層内に水の滞留が生じる。この結果、発電効率が悪くなるので、あまり望ましくない。
4.その他の事項
上記各実施の形態では、カソードガスとアノードガスの流れがｘｙ方向で直交するセルユニットに基づいて説明したが、セルユニットの構成はこれに限定せず、例えば各ガスの流れが平行な構成のセルユニットであってもよい。
【００４５】
また本発明は、実施の形態で挙げた構成よりも小さいセル構成や、固体高分子膜が薄い（特に50μｍ程度に至るほどの厚み）を有する場合に適用してもよい。これらの構成では、固体高分子膜中に存在する水分量が比較的限られるので、本発明により保湿効果を得ることによって、いっそう発電効率を向上させることが可能となる。
【００４６】
【発明の効果】
以上のことから明らかなように、本発明は固体高分子膜の一方の面にカソード、他方の面にアノードが配され、カソードとアノードの各外側にガス拡散層が配されてなるセル構成を有し、カソード側のガス拡散層表面に沿って酸化剤ガス、アノード側のガス拡散層表面に沿って燃料ガスがそれぞれ流通されることにより発電する燃料電池であって、前記アノードガス拡散層は、カソード側のガス拡散層の酸化剤ガス導入口付近に対向するアノード側のガス拡散層の領域を第一領域、カソード側のガス拡散層の酸化剤ガス排出口付近に対向するアノード側のガス拡散層の領域を第二領域とするとき、第一領域の水分透過性が第二領域の水分透過性よりも高い構成であるため、カソードガス導入口付近からの固体高分子膜の水分が、カソードガス中に蒸発しても、アノードガス中の水分が良好に固体高分子膜に吸収され、固体高分子膜の湿潤性が均一に保たれる。この結果、安定した発電を行うことが可能となる。
【図面の簡単な説明】
【図１】実施の形態1の固体高分子型燃料電池を構成するセルユニットの組立図である。
【図２】実施の形態1のセル周辺構成の断面図である。
【図３】実験結果を示すグラフ（セル1〜6）である。
【図４】実験結果を示すグラフ（セル7〜11）である。
【図５】実験結果を示すグラフ（セル12〜16）である。
【図６】従来のセル周辺構成の断面図である。
【符号の説明】
10    セルユニット
20    セル
21    固体高分子膜
24    カソードガス拡散層
25    アノードガス拡散層
251    第一領域
252    第二領域
【図１】
0003813406.tif 000004
【図２】
0003813406.tif 000005
【図３】
0003813406.tif 000006
【図４】
0003813406.tif 000007
【図５】
0003813406.tif 000008
【図６】
0003813406.tif 000009